(57)【要約】【課題】本発明は、タッチボタン接続構造及びこれを用いる電子装置を提供することを目的とする。【解決手段】本発明の電子装置は、ハウジングと、前記ハウジングの外部に位置し且つ複数のタッチボタンを備える静電容量式タッチパネルと、前記ハウジングの内部に位置するプリント基板と、前記ハウジングの内部で前記プリント基板の上方に位置するタッチボタン接続構造と、を備え、前記タッチボタン接続構造は、前記ハウジングの内部に固定される回路基板を備え、前記回路基板には、前記静電容量式タッチパネルの位置に対応する感応電極及び導電体が設置され、前記感応電極は前記静電容量式タッチパネルに接触し、前記タッチボタン接続構造は、接続部材をさらに備え、前記接続部材の一端は前記プリント基板に固定され、前記接続部材の他端は前記導電体に当接して、前記静電容量式タッチパネルと前記プリント基板上の制御部とを電気的に接続する。【選択図】図１
2012028320.tif 000002
【特許請求の範囲】
【請求項１】
ハウジングと、
前記ハウジングの外部に位置し、且つ複数のタッチボタンを備える静電容量式タッチパネルと、
前記ハウジングの内部に位置するプリント基板と、
前記ハウジングの内部で前記プリント基板の上方に位置するタッチボタン接続構造と、
を備えてなる電子装置であって、
前記タッチボタン接続構造は、前記ハウジングの内部に固定される回路基板を備え、前記回路基板には、前記静電容量式タッチパネルの位置に対応する感応電極及び導電体が設置され、前記感応電極は前記静電容量式タッチパネルに接触し、
前記タッチボタン接続構造は、接続部材をさらに備え、前記接続部材の一端は前記プリント基板に固定され、前記接続部材の他端は前記導電体に当接して、前記静電容量式タッチパネルと前記プリント基板上の制御部とを電気的に接続することを特徴とする電子装置。
【請求項２】
前記接続部材は、本体と、前記本体から互いに反対向きに突出すると共に互いに接触する第一接続端子及び第二接続端子と、を備え、
前記第一接続端子は、前記導電体に当接し、圧力を受けると弾性変形され、圧力を除去すると弾性回復され、
前記第二接続端子は、前記プリント基板に固定されることを特徴とする請求項１に記載の電子装置。
【請求項３】
電子装置のハウジング外部の静電容量式タッチパネルと前記電子装置の前記ハウジング内部のプリント基板上の制御部とを電気的に接続するために用いられるタッチボタン接続構造であって、
前記ハウジングの内部に固定される回路基板を備え、前記回路基板には、前記静電容量式タッチパネルの位置に対応する感応電極及び導電体が設置され、前記感応電極は前記静電容量式タッチパネルに接触し、
前記タッチボタン接続構造は、接続部材をさらに備え、前記接続部材の一端は前記プリント基板に固定され、前記接続部材の他端は前記導電体に当接することを特徴とするタッチボタン接続構造。
【請求項４】
前記接続部材は、本体と、前記本体から互いに反対向きに突出すると共に互いに接触する第一接続端子及び第二接続端子と、を備え、
前記第一接続端子は、前記導電体に当接し、圧力を受けると弾性変形され、圧力を除去すると弾性回復され、
前記第二接続端子は、前記プリント基板に固定されることを特徴とする請求項３に記載のタッチボタン接続構造。
【発明の詳細な説明】
【技術分野】
【０００１】
本発明は、電子装置及びそのタッチボタン接続構造に関するものである。
【背景技術】
【０００２】
静電容量式タッチボタンは、一般的に携帯電話などの電子装置に用いられる。静電容量式タッチボタンは、タッチパネルと、複数の感応電極と、導体層と、を備える。タッチパネルには、複数の感応電極に対応する複数のボタンエリアが設けられる。ユーザーが手指でタッチパネル上の１つのボタンエリアをタッチする際、人体電界が存在するため、手指と導体層との間にカップリングキャパシタンスが形成され、感応電極で発生する電流は導体層を通して接触点に流れる。通常、導体層と電子装置のメインボードとをコネクターで接続して、電流などの信号を電子装置の制御部に送信する。制御部は電流の比例及び強度を計算して、接触点の位置を精確に計算し、さらに接触点のボタンエリアに対応する操作を実行する。
【発明の概要】
【発明が解決しようとする課題】
【０００３】
しかし、前記静電容量式タッチボタンでは、導体層と電子装置のメインボードとを接続するコネクターの値段が高。また、接続部位がコネクター自身及び被接続部品によって遮られるため、コネクターを取り付け難い。
【０００４】
本発明の目的は、前記課題を解決することであり、コストが低く且つ取り付け易いタッチボタン接続構造及びこれを用いる電子装置を提供することである。
【課題を解決するための手段】
【０００５】
本発明に係るタッチボタン接続構造は、電子装置のハウジング外部の静電容量式タッチパネルと前記電子装置の前記ハウジング内部のプリント基板上の制御部とを電気的に接続するために用いられる。このタッチボタン接続構造は、前記ハウジングの内部に固定される回路基板及び接続部材を備え、前記回路基板には、前記静電容量式タッチパネルの位置に対応する感応電極及び導電体が設置され、前記感応電極は前記静電容量式タッチパネルに接触し、前記接続部材の一端は前記プリント基板に固定され、前記接続部材の他端は前記導電体に当接する。
【０００６】
本発明に係る電子装置は、ハウジングと、前記ハウジングの外部に位置し且つ複数のタッチボタンを備える静電容量式タッチパネルと、前記ハウジングの内部に位置するプリント基板と、前記ハウジングの内部で前記プリント基板の上方に位置するタッチボタン接続構造と、を備えている、この電子装置において、前記タッチボタン接続構造は、前記ハウジングの内部に固定される回路基板を備え、前記回路基板には、前記静電容量式タッチパネルの位置に対応する感応電極及び導電体が設置され、前記感応電極は前記静電容量式タッチパネルに接触し、前記タッチボタン接続構造は、接続部材をさらに備え、前記接続部材の一端は前記プリント基板に固定され、前記接続部材の他端は前記導電体に当接して、前記静電容量式タッチパネルと前記プリント基板上の制御部とを電気的に接続する。
【発明の効果】
【０００７】
本発明の電子装置によれば、コネクターより値段が安い接続部材を有するタッチボタン接続構造を設置することにより、前記電子装置のコストを下げることができ、さらにタッチボタン接続構造を取り付ける際に、コネクターのように接続部位が遮られることがなく、容易に取り付けることができる。
【図面の簡単な説明】
【０００８】
【図１】本発明の実施形態に係る電子装置の斜視図である。
【図２】図１に示す電子装置の分解図である。
【図３】図１に示す電子装置の別の視角からの分解図である。
【図４】図１に示す電子装置の局部立体図である。
【発明を実施するための形態】
【０００９】
図１及び図２に示したように、本発明の電子装置９９は、ハウジング１００と、前記ハウジング１００の表面に固定されている静電容量式タッチパネル１０と、前記ハウジング１００の内部に固定されているタッチボタン接続構造２００と、を備える。前記静電容量式タッチパネル１０は、複数のタッチボタンを備え、タッチボタンの数量は実際の需要によって決めることができる。本実施形態において、前記静電容量式タッチパネル１０は３つのタッチボタンを備え、前記電子装置９９は携帯電話であり、前記静電容量式タッチパネル１０のタッチボタンを操作することによって前記電子装置９９のボリュームを調整することができる。他の実施形態において、前記電子装置９９は、ＭＰ３プレーヤー、電子書籍などであってもよく、需要によって前記静電容量式タッチパネル１０の機能によってページアップ及びページダウン、又は方向制御などを実行することができる。
【００１０】
図２及び図３を参照すると、前記ハウジング１００は、上カバー１０１及び下カバー１０２を備える。前記電子装置９９は、前記ハウジング１００の内部に固定されているプリント基板（ＰＣＢ）４００をさらに備える。前記プリント基板４００には、前記静電容量式タッチパネル１０に電気的に接続されるボタン回路（図示せず）が設けられ、前記ボタン回路は、前記プリント基板４００の上の制御部（図示せず）に信号を伝送して、ユーザーが前記静電容量式タッチパネル１０をタッチする位置を検出する。
【００１１】
前記タッチボタン接続構造２００は、前記静電容量式タッチパネル１０と前記プリント基板４００の上の制御部を接続するために用いられ、前記上カバー１０１の内表面に固定される回路基板２０と前記プリント基板４００に設置される接続部材３０とを備える。前記回路基板２０は、前記静電容量式タッチパネル１０に接触する感応電極２０１を備える。この前記回路基板２０のうち、前記プリント基板４００に対向する片面には導電体２０２が設置される。本実施形態において、前記導電体２０２は複数の金属半田パッドである。前記金属半田パッドの位置及び数量は、前記静電容量式タッチパネル１０におけるタッチボタンの位置及び数量と一致する。前記回路基板２０は、フレキシブル回路基板であっても硬質の回路基板であってもよい。
【００１２】
図２及び図４を参照すると、前記接続部材３０は、本体３０１と、前記本体３０１から互いに反対向きに突出した複数の第一接続端子３０２及び複数の第二接続端子３０３と、を備える。前記第一接続端子３０２は、弾性を有するので、圧力を受けてから弾性変形し、圧力を解除すると弾性回復する。前記第一接続端子３０２の一端は、前記回路基板２０の導電体２０２に当接する。前記第二接続端子３０３の一端は、前記プリント基板４００に固定され、前記第二接続端子３０３の他端は、前記本体３０１を貫いて前記第一接続端子３０２の他端に接触する。前記第一接続端子３０２及び前記第二接続端子３０３は、全て導電材質である。前記第一接続端子３０２及び前記第二接続端子３０３の数量は、前記静電容量式タッチパネル１０におけるタッチボタンの数量と一致し、本実施形態においてそれぞれ３つである。
【００１３】
前記電子装置９９を組み立てる場合、先ず、溶接又は他の方式によって前記接続部材３０の第二接続端子３０３を前記プリント基板４００に固定する。次に、前記プリント基板４００を前記下カバー１０２の内部に固定する。次に、溶接方式によって前記導電体２０２を前記回路基板２０の内表面における前記静電容量式タッチパネル１０に対応する位置に固定する。次に、前記回路基板２０の前記導電体２０２の位置と前記静電容量式タッチパネル１０の位置とを合わせてから、前記回路基板２０を前記上カバー１０１の内部に貼り合わせる。最後に、前記回路基板２０の前記導電体２０２の位置と前記接続部材３０の第一接続端子３０２の位置とを合わせてから、螺合又は係合する方式によって、前記上カバー１０１を前記下カバー１０２に固定する。前記第一接続端子３０２は、弾性を有するので、前記導電体２０２に十分に接触することができる。
【００１４】
前記静電容量式タッチパネル１０のタッチボタンをタッチすると、手指と前記回路基板２０の感応電極２０１との間にカップリングキャパシタンスが形成され、前記感応電極２０１で発生する電流は、順次に前記導電体２０２、前記第一接続端子３０２、前記第二接続端子３０３を通って前記プリント基板４００の制御部（図示せず）に流れる。前記制御部は、前記カップリングキャパシタンスの変化によって、ユーザーが前記静電容量式タッチパネル１０をタッチする位置を検出する。
【００１５】
本発明の電子装置９９によれば、コネクターより値段が安い前記接続部材３０を有するタッチボタン接続構造２００を設置することにより、前記電子装置９９のコストを下げることができ、さらにタッチボタン接続構造２００を取り付ける際に、コネクターのように接続部位が遮られて取り付け難い問題が発生しない。
【００１６】
以上、本発明を実施例に基づいて具体的に説明したが、本発明は、上述の実施例に限定されるものではなく、その要旨を逸脱しない範囲において、種々の変更が可能であることは勿論であって、本発明の技術的範囲は、以下の特許請求の範囲から決まる。
【符号の説明】
【００１７】
１０  静電容量式タッチパネル
２０  回路基板
３０  接続部材
９９  電子装置
１００  ハウジング
１０１  上カバー
１０２  下カバー
２００  タッチボタン接続構造
２０１  感応電極
２０２  導電体
３０１  本体
３０２  第一接続端子
３０３  第二接続端子
４００  プリント基板
【図１】
2012028320.tif 000003
【図２】
2012028320.tif 000004
【図３】
2012028320.tif 000005
【図４】
2012028320.tif 000006